(57)【要約】【課題】スイミングゴーグルのガスケット部が装着者の顔面に対する弾性的圧接力を強化して水密性を確保する。【解決手段】透明の硬質材料から形成されたレンズ部１０と、硬質材料から形成されるレンズフレーム部１１と、軟質かつ弾性材料から形成されるガスケット部１２とを含み、ガスケット部１２の外周面に沿って凸条リブ２４を形成したスイミングゴーグル。【選択図】図１
2008073252.tif 000002
【特許請求の範囲】
【請求項１】
前後方向及びこれらに直交する横方向を有し、透明の硬質材料から形成されたレンズ部と、硬質材料から形成され前記レンズ部の周縁から前記後方向へ延出する環状のレンズフレーム部と、軟質かつ弾性材料から形成され前記レンズフレーム部の周縁から前記後方向へ延出する環状のガスケット部とを含み、前記ガスケット部が、前記レンズフレーム部の外周面と該外周面から該ガスケット部の後縁を経て該レンズフレームの径方向内側へ屈曲する該後縁とを一体的に被覆する第１域と、前記第１域の前記後縁からほぼ前記径方向外側へ屈曲して延出する弾性変形可能な第２域とを有し、前記後縁と前記第２域との間の外周面に沿って段差凹部が形成されているスイミングゴーグルにおいて、
前記ガスケット部が、前記ガスケット部の前記軟質かつ弾性材料から一体に形成された凸条リブを備え、前記凸条リブは、前記第１域の前記後縁と対向して前記後方向へ離間する前記第２域の前記外周面に沿って位置していることを特徴とする前記ゴーグル。
【請求項２】
前記ガスケット部は、前記第１域が前記横方向外側へ延出し前記レンズフレーム部が位置しない弾性変形可能な延出部を有し、前記延出部の外端部に硬質材料から形成された、ヘッドストラップを連結するためのバックルが該外端部にこれと一体に設けられている請求項１に記載のゴーグル。
【請求項３】
前記レンズ部と前記レンズフレーム部とは、前記透明の硬質材料からアイカップ部として一体成形されている請求項１又は２に記載のゴーグル。
【請求項４】
前記アイカップ部と前記ガスケット部とは、一体成形により一体に接合している請求項１〜３のいずれかに記載のゴーグル。
【発明の詳細な説明】
【技術分野】
【０００１】
この発明は、遊泳や競泳などの際に装着者がその顔面に装着するスイミングゴーグルに関するものである。
【背景技術】
【０００２】
一般に、スイミングゴーグルは、一対のレンズ部と、該レンズ部と一体に成形され又は該レンズ部を一体的に保持する一対のレンズフレーム部と、該レンズフレーム部に一体的に接合され装着者の顔面に当接する部分を有する一対のガスケット部と、該レンズフレーム部の各々の内端の間をバックルを介して連結するノーズブリッジ部と、該レンズフレーム部の各々の外端の間をバックルを介して連結するヘッドストラップとから構成されている。こうした周知の構造を有するゴーグルは枚挙にいとまがないが、その一例として特許文献１に開示されているスイミングゴーグルを挙げることができる。
【０００３】
特許文献１に開示されているスイミングゴーグルから理解されるように、パッド部（ガスケット部）は、弾性材料から形成され、パッド部の前域がレンズフレーム部の外周面及びその後縁を覆ってこれらに一体的に接合され、パッド部の後域が、該前域の後縁の内周から後方向へ延出し、さらに後方向かつ斜め外側方向へ延出する顔面当接部を有する。こうした構造においては、前記後縁と顔面当接部との間における部位の外周面には、断面ほぼＶ又はＵ形の段差凹部が形成されている。
【特許文献１】特開２００５−１６０９４１号公報
【発明の開示】
【発明が解決しようとする課題】
【０００４】
特許文献１に開示されたようなスイミングゴーグルにおいては、一般に、パッド部に形成される前記段差凹部は、パッド部の顔面当接部が装着者の顔面に弾性的に密に面接触する形状にパッド部を屈曲形成する必要から、そうしたゴーグルによっては、前記段差凹部の深さ及び幅に多少の差があっても、必然的に生じるものである。
【０００５】
パッド部の顔面当接部は、装着者の顔面に弾性的に密接することがゴーグル内を水密に保つうえで必要であるが、顔面当接部の弾性的圧接力が比較的弱いと、完全な水密性が確保されない。特許文献１においては、もとより、ある程度の弾性的圧接力が確保されるように設計されるであろうが、そうであっても、パッド部の材質、肉厚、断面形状などによってそうした所要の弾性的圧接力を付与しかつ比較的長期にわたって確保されるように設計することに限界があり、またそのように設計したとしても、パッド部の材料の経時的な弾性劣化などに起因して、そうした弾性的圧接力が経時的に減少することは避けられない。
【０００６】
また、スイミングゴーグルが装着者の顔面に装着された状態においては、パッド部の顔面当接部が前方へ押圧されると、パッド部の前域の後縁へ近接するように弾性変形するが、それでも前記段差凹部が完全に塞がることはない。そうした段差凹部は、遊泳や競泳の際、水流抵抗を生じさせるから、特に競泳においては好ましくない。
【０００７】
この発明が課題とするところは、簡単な手段で前記弾性的圧接力を確保し、かつ、前記水流抵抗をなくすことができるスイミングゴーグルを提供することにある。
【課題を解決するための手段】
【０００８】
この発明は、前後方向及びこれらに直交する横方向を有し、透明の硬質材料から形成されたレンズ部と、硬質材料から形成され前記レンズ部の周縁から前記後方向へ延出する環状のレンズフレーム部と、軟質弾性材料から形成され前記レンズフレーム部の周縁から前記後方向へ延出する環状のガスケット部とを含み、前記ガスケット部が、前記レンズフレーム部の外周面と該外周面から該ガスケット部の後縁を経て該レンズフレームの径方向内側へ屈曲する該後縁とを一体的に被覆する第１域と、前記第１域の前記後縁からほぼ前記径方向外側へ屈曲して延出する弾性変形可能な第２域とを有し、前記後縁と前記第２域との間の外周面に沿って段差凹部が形成されているスイミングゴールを改良することにある。
【０００９】
前記改良するための、この発明の特徴とするところは、前記ガスケット部が、前記ガスケット部の前記軟質かつ弾性材料から一体に形成された凸条リブを備え、前記凸条リブは、前記第１域の前記後縁と対向して前記後方向へ離間する前記第２域の前記外周面に沿って位置していることにある。
【００１０】
この発明の好ましい実施の形態に係るスイミングゴーグルにおいては、前記ガスケット部は、前記第１域が前記横方向外側へ延出し前記レンズフレーム部が位置しない弾性変形可能な延出部を有し、前記延出部の外端部に硬質材料から形成された、ヘッドストラップを連結するためのバックルが該外端部にこれと一体に設けられている。
【００１１】
この発明のさらに好ましい実施の形態に係るスイミングゴーグルにおいては、前記レンズ部と前記レンズフレーム部とは、前記透明の硬質材料からアイカップ部として一体成形されている。
【００１２】
この発明のさらにまた好ましい実施の形態に係るスイミングゴーグルにおいては、前記アイカップ部と前記ガスケット部とは、一体成形により一体に接合している。
【発明の効果】
【００１３】
前記構成に係るこの発明によれば、ガスケット部の第２域の外周面に沿って凸条リブを備えるから、凸条リブを備えない場合に比較して、装着者の顔面に対する弾性的圧接力を強くし、ガスケット部の顔面に対する水密性を確保することができるとともに、比較的長期にわたって使用しても妄りに変形することがない。
【００１４】
スイミングゴーグルが装着者の顔面に装着された状態においては、ガスケット部の第２域が、その第１域の側へ押圧されて弾性変形し、凸条リブが該第１域の後縁に接触して該後縁と該第２域との間の段差凹部を閉塞する。つまり、該第２域で段差凹部の外周面が覆われる。したがって、遊泳や競泳において段差凹部により好ましくない水流抵抗が生じることがない。
【００１５】
前記ガスケット部の前記第１域が前記横方向外側へ延出し前記レンズフレーム部が位置しない弾性変形可能な延出部を有し、前記延出部の外端部に硬質材料から形成された、ヘッドストラップを連結するためのバックルが該外端部にこれと一体に設けられている実施の形態によれば、前記バックルが前記延出部の弾性変形を介してゴーグルの前後方向や上下方向へ移動し、しかも前記延出部が若干ながらも弾性を有するから、装着者は、ゴーグル本体とヘッドストラップとの相対的関係を微調整し易い。
【００１６】
前記レンズ部と前記レンズフレーム部とが、前記透明の硬質材料からアイカップ部として一体成形され、かつ、前記アイカップ部と前記ガスケット部とが、一体成形により一体に接合している実施の形態によれば、前記レンズ部と前記レンズフレーム部との一体化作業、レンズフレーム部とガスケット部との一体化の特段の作業を要せずそれらの成形が容易であり、しかもアイカップが破損しない限り永久的にその内部の水密性を完全に確保することができる。
【発明を実施するための最良の形態】
【００１７】
図面を参照して、この発明に係るスイミングゴーグルの実施の形態を説明すると、以下のとおりである。
【００１８】
図１〜図３に示すように、スイミングゴーグルは、前後方向及びこれらに直交する横方向を有し、一対のレンズ部１０と、環状の一対のレンズフレーム部１１と、一対の環状のガスケット部１２と、横方向へ細長いストラップ状のノーズブリッジ１３と、ヘッドストラップ１４から構成されている。
【００１９】
レンズ部１０及びレンズフレーム部１１は、透明の硬質材料、例えば、アクリル、ポリカーボネートなどのプラスチック材料からアイカップ部として一体に射出成形され、レンズ部１０は横方向へやや長い楕円形を有している。ガスケット部１２は、軟質かつ比較的に低い弾性材料、例えば、オレフィン系、スチレン系、ウレタン系、天然又は合成ゴム系などの、好ましくは、熱可塑性のエラストマー材料から形成されている。ガスケット部１２は、射出成形と同時に前記アイカップ部と一体化されている。
【００２０】
なお、図示してないが、この種のゴーグルにおいて周知なように、場合によっては、レンズ部１０とレンズフレーム部１１とが別体に形成され、前者が後者の前内周縁に形成された凹条溝に一体的かつ水密に嵌合する構造であってもよい。
【００２１】
レンズフレーム部１１は、アイカップの周壁に相当し、該周壁の幅及び長さが外端部（装着者の目尻側部）において該周壁の残余部よりも大きく形成されている。レンズフレーム部１１は、その外周面に沿って凹条溝１５と、その後側を画成する後縁１６とを有する。さらに、レンズフレーム部１１は、装着者の目頭側に位置する内側部にノーズブリッジ１３を離脱可能に係止する延出部１７と、装着者の目尻側に位置する外側部１８（図６参照）とを有する。
【００２２】
ガスケット部１２は、第１域１９と、レンズフレーム部１１の径方向下側への屈曲部２０と、断面がほぼＶ又はＵ形の段差凹部２１を介し該径方向外側へやや傾斜して延出する第２域２２と、第１域１９の内周面に沿って凹条溝２３とが形成されている。ガスケット部１２は、第１域１９がレンズフレーム部１１の凹条溝１５に嵌合し、屈曲部２０がレンズフレーム部１１の後縁１６に当接して凹条溝２３がレンズフレーム部１１の後縁１６に嵌合する状態において、レンズフレーム部１１の外周面に沿って一体的に接合されている。
【００２３】
前後方向におけるガスケット部１２の第２域２２のほぼ中間部の外周面に沿って、ガスケット部１２の軟質かつ弾性材料から形成される凸条リブ２４が形成されている。凸条リブ２４は、断面がほぼ三角形でその頂点が第１域１９の後縁（屈曲部２０）と後方向へ適宜離間して対向して位置する。凸条リブ２４は、装着者の顔面に対する第２域２２の弾性的圧接力を強化し、第２域２２の顔面に対する水密性と、比較的長期間にわたって正常な形態が確保するように機能する。
【００２４】
また、ゴーグルが装着者の顔面に装着されたとき、第２域２２が第１域１９の後縁に位置する屈曲部２０の側へ押圧され弾性変形し、凸条リブ２４が屈曲部２０の外周縁に接触し（図３、鎖線参照）、その結果、段差凹部２１の外周側が閉塞され、段差凹部２１により生ずる水流抵抗をなくすることができる。
【００２５】
図４〜図６において、ガスケット部１２は、装着者の目尻側に位置し横方向外側へ延出して第１域１９の延出部２５が形成されている。延出部２５の外側には熱可塑性プラスチックなどの硬質材料から形成されるバックル２６が連結されている。したがって、レンズフレーム１１の外側部１８とバックル２６との間に位置する、軟質かつ弾性を有する延出部２５は、硬質の外側部１８及びバックル２６との間において弾性的変形が可能である。
【００２６】
装着者の目頭側に位置するレンズフレーム１１の内側部２７には、ノーズブリッジ１３（図１参照）を連結するための係止部２８が設けられている。係止部２８の内面とガスケット部１２の内面とは実質的段差を有しない同平面を形成し、装着者に剛性である係止部２８が凸出して強く接触することで違和感を与えないようにしてある。
【００２７】
再び、図１において、ノーズブリッジ１３は、比較的剛性で弾性変形する熱可塑性プラスチック、エラストマー材料なとから形成され、両レンズフレーム１１の内側部の間を連結している。ヘッドストラップ１４は、比較的軟質のエラストマー材料から形成され、レンズフレーム部１１の外側に位置するバックル２６を介して一対のレンズフレーム部１１の間をバックル２６を介して連結している。
【図面の簡単な説明】
【００２８】
【図１】この発明に係るスイミングゴーグルの全体斜視図。
【図２】前記ゴーグルの拡大平面図。
【図３】図１における３−３線に沿う拡大断面図。
【図４】一部を省略した、図２における４−４線に沿う断面図。
【図５】一部を省略した、前記ゴーグルの外側面図。
【図６】図１における６−６線に沿う拡大断面図。
【符号の説明】
【００２９】
１０    レンズ部
１１    レンズフレーム部
１２    ガスケット部
１６    レンズフレームの後縁
１９    第１域
２０    ガスケット部の屈曲部（後縁）
２１    段差凹部
２２    第２域
２４    凸条リブ
【図１】
2008073252.tif 000003
【図２】
2008073252.tif 000004
【図３】
2008073252.tif 000005
【図４】
2008073252.tif 000006
【図５】
2008073252.tif 000007
【図６】
2008073252.tif 000008